(57)【要約】      （修正有）【課題】電子書籍の図面及び文章の連結のデータ表示方法を提供する。【解決手段】常用情報につきデータベースの閉鎖及び作成を行い、現閲覧頁で該頁の文字に対応する常用情報を取得すると共に、該頁に制御可能に並存表示する。このようにして閲覧者は手動によらずして前後に頁をスクロールして文字、図形、表、数学の方程式、化学の方程式、及び注記等のデータを理解する。【選択図】図１
2014010834.tif 000002
【特許請求の範囲】
【請求項１】
常用情報につきデータベースの閉鎖及び作成を行い、現閲覧頁で該頁の文字に対応する常用情報を取得すると共に、該頁に制御可能に並存表示することを特徴とする図面及び文章の電子読書システムにおける連結方法。
【請求項２】
前記並存表示は固定又は変動のものであることを特徴とする請求項１に記載の図面及び文章の電子読書システムにおける連結方法。
【請求項３】
該頁の文字に対応する前記常用情報と現頁の文字とは互いに影響し合わずに同時に表示されることを特徴とする請求項２に記載の図面及び文章の電子読書システムにおける連結方法。
【請求項４】
前記並存表示は対応装置により開始又は停止されることを特徴とする請求項３に記載の図面及び文章の電子読書システムにおける連結方法。
【請求項５】
前記対応装置はマウスのファンクションキー、ローラ、キーボードとファンクションキーの組合せ、タッチパネルの領域の選択、画像センサ識別装置からなることを特徴とする請求項４に記載の図面及び文章の電子読書システムにおける連結方法。
【請求項６】
該頁の文字に対応する前記常用情報は前記対応装置により拡大又は縮小表示されることを特徴とする請求項５に記載の図面及び文章の電子読書システムにおける連結方法。
【請求項７】
前記常用情報は、文字、図形、表、数学の方程式、化学の方程式のうちの何れか１つ又はその組合せからなることを特徴とする請求項１〜６のいずれか一に記載の図面及び文章の電子読書システムにおける連結方法。
【請求項８】
前記常用情報は、図形、表、注記、及び参考資料からなることを特徴とする請求項７に記載の図面及び文章の電子読書システムにおける連結方法。
【請求項９】
並存表示される際、前記対応情報は現頁に插入され、該現頁における文字は自動的に再度編成されて自動的に前記対応情報を回避することを特徴とする請求項１〜６のいずれか一に記載の図面及び文章の電子読書システムにおける連結方法。
【請求項１０】
常用情報につきデータベースの閉鎖及び作成を行い、現閲覧頁で該頁の文字に対応する常用情報を取得すると共に、該頁に制御可能に並存表示することを特徴とする図面及び文章の連結方法に対応する電子読書システム。
【請求項１１】
前記並存表示は固定又は変動のものであることを特徴とする請求項１０に記載の図面及び文章の連結方法に対応する電子読書システム。
【請求項１２】
該頁の文字に対応する前記常用情報と現頁の文字とは互いに影響し合わずに同時に表示されることを特徴とする請求項１１に記載の図面及び文章の連結方法に対応する電子読書システム。
【請求項１３】
前記並存表示は対応装置により開始又は停止されることを特徴とする請求項１２に記載の図面及び文章の連結方法に対応する電子読書システム。
【請求項１４】
前記対応装置はマウスのファンクションキー、ローラ、キーボードとファンクションキーの組合せ、タッチパネルの領域の選択、画像センサ識別装置からなることを特徴とする請求項１３に記載の図面及び文章の連結方法に対応する電子読書システム。
【請求項１５】
該頁の文字に対応する前記常用情報は前記対応装置により拡大又は縮小表示されることを特徴とする請求項１４に記載の図面及び文章の連結方法に対応する電子読書システム。
【請求項１６】
前記常用情報は、文字、図形、表、数学の方程式、化学の方程式のうちの何れか１つ又はその組合せからなることを特徴とする請求項１０〜１５のいずれか一に記載の図面及び文章の連結方法に対応する電子読書システム。
【請求項１７】
前記常用情報は、図形、表、注記、及び参考資料からなることを特徴とする請求項１６に記載の図面及び文章の連結方法に対応する電子読書システム。
【請求項１８】
並存表示される際、前記対応情報は現頁に插入され、該現頁における文字は自動的に再度編成されて自動的に前記対応情報を回避することを特徴とする請求項１０〜１５のいずれか一に記載の図面及び文章の連結方法に対応する電子読書システム。
【発明の詳細な説明】
【技術分野】
【０００１】
本発明は、図面及び文章の連結の表示方法に関する。
【背景技術】
【０００２】
特許文献１には文章の上下二段を結合するファイルデータの表示方法が記載されている（例えば、特許文献１参照）。閲覧者は電子機器でファイルデータを読取る際、単一頁の現実的な方法で行なっている。また、同時に実際に前頁部分のファイルデータと次頁部分のファイルデータを、閲覧者が連続して閲覧するのに便利なように、閲覧する際に上端の視野で本頁と関連する前頁の最後の数行を速やかに見返すことができる。さらに、閲覧者が事前に閲覧の順序を目論み易いように、下端の視野で速やかに次頁の冒頭の数行をプレビューできる。
【先行技術文献】
【特許文献】
【０００３】
【特許文献１】台湾特許出願公開第I386844号明細書
【発明の概要】
【発明が解決しようとする課題】
【０００４】
前述した従来の技術で、ファイルを往復させてスクロールすることによる視覚的疲労はある程度は軽減される。然しながら、電子書籍に文字、図形、表、数学の方程式、化学の方程式、及び注記等が含まれる場合、文字やこれらのデータは同一頁にはなく、ユーザは手動で前後に頁をスクロールし、又は数頁スクロールして、同時に文字説明やこれに対応する図形、表、数学の方程式、化学の方程式、注記等データを理解する。この場合、閲覧者の視覚的疲労の軽減は実現されない。
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものである。上記課題解決のため、本発明は、電子書の図面及び文章の連結の表示方法を提供することを主目的とする。
【課題を解決するための手段】
【０００７】
上記の課題を解決し、目的を達成するために、本発明に係る電子書籍の図面及び文章の連結の表示方法は常用情報につきデータベースの閉鎖及び作成を行い、現閲覧頁で該頁の文字に対応する常用情報を取得すると共に、該頁に制御可能に並存表示することを特徴とする。
【０００８】
好ましくは、前記並存表示は固定又は変動のものである。
【０００９】
好ましくは、該頁の文字に対応する前記常用情報と現頁の文字とは互いに影響し合わずに同時に表示される。
【００１０】
好ましくは、前記並存表示は対応装置により開始又は停止される。
【００１１】
好ましくは、前記対応装置はマウスのファンクションキー、ローラ、キーボードとファンクションキーの組合せ、タッチパネルの領域の選択、画像センサ識別装置からなる。
【００１２】
好ましくは、該頁の文字に対応する前記常用情報は前記対応装置により拡大又は縮小表示される。
【００１３】
好ましくは、前記常用情報は、文字、図形、表、数学の方程式、化学の方程式のうちの何れか１つ又はその組合せからなる。
【００１４】
好ましくは、前記常用情報は、図形、表、注記、及び参考資料からなる。
【００１５】
好ましくは、並存表示される際、前記対応情報は現頁に插入され、該現頁における文字は自動的に再度編成されて自動的に前記対応情報を回避する。
【００１６】
本発明は、さらに上述の電子書の図面及び文章の連結の資料表示方法に用いられる電子書籍の読書システムに関する。
【発明の効果】
【００１７】
本発明によれば、閲覧者は手動によらずして前後に頁をスクロールして文字、図形、表、数学の方程式、化学の方程式、及び注記を理解しつつ対応して閲覧ができることにより、閲覧の利便性が高まる。
【図面の簡単な説明】
【００１８】
【図１】本発明に係る電子書籍の読書システムのフローチャートである。
【発明を実施するための形態】
【００１９】
以下に図面を参照して本発明を実施するための形態について、詳細に説明する。なお、本発明は、以下に説明する実施形態に限定されるものではない。
本発明に係る電子書籍閲覧ソフトは閲覧しようとする電子ファイルの図形、表、化学の方程式、数学の方程式、参考資料、及び注記等の情報について自動的にデータベースの閉鎖及び作成を行なう。
例えば、     
【表１】
2014010834.tif 000003
電子ファイルの文章が「図1」に言及すると、マウス、タッチパネル又は画像センサ識別装置等、クリック可能な工具又は方法であれば何れも選択でき、「図1」に対応するデータを開いて現在閲覧している同一頁上に並存表示することができる。
【００２０】
図1における標記では次のようにステップが表示される。「図1」の表示位置は変動、又は文章の段落位置を閲覧するにつれて移動可能であるが、まだ閲覧が終わっていない部分の文章の妨げとはならない。なお、「図1」の表示位置は同一頁の某固定位置に固定することができる。
【００２１】
「図1」の表示はマウスのファンクションキー、ローラ等、キーボード機器のファンクションキーの組合せ等、タッチパネルの領域の選択等、画像センサ識別等の方法により上記の切り取られた並存表示データを拡大、縮小することができる。
【００２２】
図1の標記が表示されて、「図1」の情報をもう参照する必要がない場合、マウスの「右キー」といったファンクションキー、その他のファンクションキー、文章の特定の位置、その他の機能の組合せによる方法、タッチパネルの文章の特定の位置、その他のファンクションキーの組合せ、画像センサ識別における某特定のジェスチャー等の機能を使用して、「図1」の並存表示機能を停止することができる。上記工程と類似して、「表」、「注記」、「参考資料」、及び「方程式」を表示する。
【００２３】
図形と表におけるデータの切り取り形態は図形方式で作成されるが、「注記」や「参考資料」は文字様式で作成されて、並存表示される。
【００２４】
「図形」と「表」の並存表示は「拡大」又は「縮小」が行なえる。しかし、「注記」、「参考資料」、「方程式」はさらに拡大又は縮小表示することはできない。
【００２５】
前記文字様式での表示は方形、長方形等の形状のテキストボックスで「注記」、「参考資料」、「方程式」が表示され、テキストボックスの内容の文字は自動的に配列されるが、最も密集した編成方法で表示されることから、最小のテキストボックスでの表示方法が実現される。
【００２６】
「注記」、「参考資料」、「方程式」は文字様式で表示され、「ローラ」といったマウスのファンクションキー、タッチパネルの領域を選択する方法、タッチパネルの水平移動、垂直移動を含む各種方向の移動の制御方法によって文字の字体の拡大や縮小を制御する。
【００２７】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【図１】
2014010834.tif 000004